【手続補正書】
【提出日】平成17年2月8日(2005.2.8)
【手続補正１】
【補正対象書類名】明細書
【補正対象項目名】特許請求の範囲
【補正方法】変更
【補正の内容】
【特許請求の範囲】
【請求項１】
被呼側にダイアル発信した際に、該被呼側が話し中の場合は、一旦回線を切断させるとともに、該切断の後の着信を制御する制御部と、
前記着信が、通常の着信であるか、前記被呼側の話し中終了を示す着信であるかの着信種別を判断する判別処理部と、
通信するためにダイアル信号を生成するダイアル信号発生部と
を有し、
前記制御部は、前記判別処理部が、前記着信が前記被呼側の話し中終了の着信であることを判別した場合、前記被呼側との間で通信するために前記ダイアル信号発生部を制御する
ことを特徴とする通信制御装置。
【請求項２】
被呼側にダイアル発信した際に、該被呼側が話し中であることを判別する第１の判別処理部と、
前記第１の判別処理部が、前記被呼側が話し中であることを判別した場合、回線を切断させるとともに、該切断の後の着信を制御する制御部と、
前記着信が、通常の着信であるか、前記被呼側の話し中終了を示す着信であるかの着信種別を判断する第２の判別処理部と、
通信するためにダイアル信号を生成するダイアル信号発生部と
を有し、
前記制御部は、前記判別処理部が、前記着信が前記被呼側の話し中終了の着信であることを判別した場合、前記被呼側との間で通信するために前記ダイアル信号発生部を制御する
ことを特徴とする通信制御装置。
【請求項３】
前記ダイアル信号発生部にて生成される前記ダイアル信号は、特定のダイアル信号である
ことを特徴とする請求項１又は２に記載の通信制御装置。
【請求項４】
前記ダイアル信号発生部にて生成される前記ダイアル信号は、前記被呼側にダイアル発信した際のダイアル信号である
ことを特徴とする請求項１又は２に記載の通信制御装置。
【請求項５】
前記制御部は、前記着信の後、再度、回線を切断させるとともに、
該切断からの経過時間に応じて、前記ダイアル信号発生部が特定のダイアル信号を生成するか、前記被呼側にダイアル発信した際のダイアル信号を生成するかを制御する
ことを特徴とする請求項１乃至４のいずれか１つに記載の通信制御装置。
【請求項６】
前記制御部は、前記被呼側が話し中であることを事由に回線を切断させた後、第１の特定ダイアル信号を送信するように前記ダイアル信号発生部を制御する
ことを特徴とする請求項１又は２に記載の通信制御装置。
【請求項７】
前記第１の特定のダイアル信号を送信してから第１の所定時間の経過内に前記被呼側の話し中終了を示す着信をしなかった場合、前記制御部は、前記ダイアル信号発生部が前記被呼側にダイアル発信した際のダイアル信号を生成するように制御することを特徴とする請求項６に記載の通信制御装置。
【請求項８】
前記制御部が、前記被呼側が話し中であることを事由に回線を切断させた後、第２の所定時間内に前記第１の特定ダイアル信号を送信できなかった場合、前記制御部は、前記ダイアル信号発生部が前記被呼側にダイアル発信した際のダイアル信号を生成するように制御することを特徴とする請求項６に記載の通信制御装置。
【請求項９】
前記制御部は、前記着信の後、回線を切断させた後、第２の特定ダイアル信号を送信するように前記ダイアル信号発生部を制御する
ことを特徴とする請求項１又は２に記載の通信制御装置。
【請求項１０】
前記制御部は、前記着信の後、再度、回線を切断させた後、第３の所定時間内に前記第２の特定ダイアル信号を送信できなかった場合、前記制御部は、前記ダイアル信号発生部が前記被呼側にダイアル発信した際のダイアル信号を生成するように制御することを特徴とする請求項９に記載の通信制御装置。
【請求項１１】
発呼側の通信制御装置と回線交換機とを有する通信制御システムであって、
前記通信制御装置は、
被呼側にダイアル発信した際に、該被呼側が話し中の場合は、一旦回線を切断させるとともに、該切断の後に前記交換機からの着信を制御する制御部と、
前記着信が、通常の着信であるか、前記被呼側の話し中終了を示す着信であるかの着信種別を判断する判別処理部と、
通信するためにダイアル信号を生成するダイアル信号発生部と
を有し、
前記制御部は、前記判別処理部が、前記着信が前記被呼側の話し中終了の着信であることを判別した場合、前記被呼側との間で通信するために前記ダイアル信号発生部を制御する
ことを特徴とする通信制御システム。
【請求項１２】
発呼側の通信制御装置と回線交換機とを有する通信制御システムであって、
前記通信制御装置は、
被呼側にダイアル発信した際に、該被呼側が話し中であることを判別する第１の判別処理部と、
前記第１の判別処理部が、前記被呼側が話し中であることを判別した場合、回線を切断させるとともに、該切断の後に前記交換機からの着信を制御する制御部と、
前記着信が、通常の着信であるか、前記被呼側の話し中終了を示す着信であるかの着信種別を判断する第２の判別処理部と、
通信するためにダイアル信号を生成するダイアル信号発生部と
を有し、
前記制御部は、前記判別処理部が、前記着信が前記被呼側の話し中終了の着信であることを判別した場合、前記被呼側との間で通信するために前記ダイアル信号発生部を制御する
ことを特徴とする通信制御システム。
【請求項１３】
前記ダイアル信号発生部にて生成される前記ダイアル信号は、特定のダイアル信号である
ことを特徴とする請求項１１又は１２に記載の通信制御システム。
【請求項１４】
前記交換機は、前記特定のダイアル信号を受信し、該特定のダイアル信号に基づいて前記被呼側の発呼を行う
ことを特徴とする請求項１３に記載の通信制御システム。
【請求項１５】
前記ダイアル信号発生部にて生成される前記ダイアル信号は、前記被呼側にダイアル発信した際のダイアル信号である
ことを特徴とする請求項１１又は１２に記載の通信制御システム。
【請求項１６】
前記制御部は、前記着信の後、再度、回線を切断させるとともに、
該切断からの経過時間に応じて、前記ダイアル信号発生部が特定のダイアル信号を生成するか、前記被呼側にダイアル発信した際のダイアル信号を生成するかを制御する
ことを特徴とする請求項１１乃至１５のいずれか１つに記載の通信制御システム。
【請求項１７】
前記制御部は、前記被呼側が話し中であることを事由に回線を切断させた後、第１の特定ダイアル信号を送信するように前記ダイアル信号発生部を制御する
ことを特徴とする請求項１１又は１２に記載の通信制御システム。
【請求項１８】
前記第１の特定のダイアル信号を送信してから第１の所定時間の経過内に前記被呼側の話し中終了を示す着信をしなかった場合、前記制御部は、前記ダイアル信号発生部が前記被呼側にダイアル発信した際のダイアル信号を生成するように制御することを特徴とする請求項１７に記載の通信制御システム。
【請求項１９】
前記制御部が、前記被呼側が話し中であることを事由に回線を切断させた後、第２の所定時間内に前記第１の特定ダイアル信号を送信できなかった場合、前記制御部は、前記ダイアル信号発生部が前記被呼側にダイアル発信した際のダイアル信号を生成するように制御することを特徴とする請求項１７に記載の通信制御システム。
【請求項２０】
前記制御部は、前記着信の後、回線を切断させた後、第２の特定ダイアル信号を送信するように前記ダイアル信号発生部を制御する
ことを特徴とする請求項１１又は１２に記載の通信制御システム。
【請求項２１】
前記制御部は、前記着信の後、再度、回線を切断させた後、第３の所定時間内に前記第２の特定ダイアル信号を送信できなかった場合、前記制御部は、前記ダイアル信号発生部が前記被呼側にダイアル発信した際のダイアル信号を生成するように制御することを特徴とする請求項２０に記載の通信制御システム。
【請求項２２】
被呼側にダイアル発信するためダイアル信号を生成する第１のダイアル信号生成ステップと、
前記被呼側が話し中の場合は、一旦回線を切断させる第１の回線切断ステップと、
前記切断の後の着信を制御するステップと、
前記着信が、通常の着信であるか、前記被呼側の話し中終了を示す着信であるかの着信種別を判別するステップと、
前記着信が前記被呼側の話し中終了の着信であることを判別した場合、前記被呼側との間で通信するためにダイアル信号を生成させる第２のダイアル信号生成ステップと
を有することを特徴とする通信制御方法。
【請求項２３】
被呼側にダイアル発信するためダイアル信号を生成する第１のダイアル信号生成ステップと、
前記被呼側が話し中であることを判別する第１の判別ステップと、
前記被呼側が話し中であることを判別した場合、回線を切断させる第１の回線切断ステップ
前記切断の後の着信を制御するステップと、
前記着信が、通常の着信であるか、前記被呼側の話し中終了を示す着信であるかの着信種別を判断する第２の判別ステップと、
前記着信が前記被呼側の話し中終了の着信であることを判別した場合、前記被呼側との間で通信するためにダイアル信号を生成させる第２のダイアル信号生成ステップと
を有することを特徴とする通信制御方法。
【請求項２４】
前記第２のダイアル信号生成ステップにおいて、
生成される前記ダイアル信号は、特定のダイアル信号である
ことを特徴とする請求項２２又は２３に記載の通信制御方法。
【請求項２５】
前記第２のダイアル信号生成ステップにおいて、
生成される前記ダイアル信号は、前記被呼側にダイアル発信した際のダイアル信号である
ことを特徴とする請求項２２又は２３に記載の通信制御方法。
【請求項２６】
前記着信の後、再度、回線を切断させる第２の回線切断ステップと、
該切断からの経過時間に応じて、前記ダイアル信号発生部が特定のダイアル信号を生成するか、前記被呼側にダイアル発信した際のダイアル信号を生成するかを制御するステップと
を有することを特徴とする請求項２２乃至２５のいずれか１つに記載の通信制御方法。
【請求項２７】
前記第１の回線切断ステップにおいて回線を切断させた後、第１の特定ダイアル信号を生成する
ことを特徴とする請求項２２又は２３に記載の通信制御方法。
【請求項２８】
前記第１の特定のダイアル信号を送信してから第１の所定時間の経過内に前記被呼側の話し中終了を示す着信をしなかった場合、前記第２のダイアル信号生成ステップにおいて、前記被呼側にダイアル発信した際のダイアル信号を生成することを特徴とする請求項２７に記載の通信制御方法。
【請求項２９】
前記第１の回線切断ステップにおいて回線を切断させた後、第２の所定時間内に前記第１の特定ダイアル信号を送信できなかった場合、前記第２のダイアル信号生成ステップにおいて、前記被呼側にダイアル発信した際のダイアル信号を生成することを特徴とする請求項２７に記載の通信制御方法。
【請求項３０】
前記第２の回線切断ステップにおいて回線を切断させた後、前記第２のダイアル信号生成ステップにおいて、第２の特定ダイアル信号を生成する
ことを特徴とする請求項２２又は２３に記載の通信制御方法。
【請求項３１】
前記第２の回線切断ステップにおいて回線を切断させた後、第３の所定時間内に前記第２の特定ダイアル信号を送信できなかった場合、前記第２のダイアル信号生成ステップにおいて、前記ダイアル信号発生部が前記被呼側にダイアル発信した際のダイアル信号を生成するように制御することを特徴とする請求項３０に記載の通信制御方法。
【手続補正２】
【補正対象書類名】明細書
【補正対象項目名】０００４
【補正方法】変更
【補正の内容】
【０００４】
【課題を解決するための手段】
上記課題を解決するために本発明は、請求項１に記載の発明では、被呼側にダイアル発信した際に、該被呼側が話し中の場合は、一旦回線を切断させるとともに、該切断の後の着信を制御する制御部と、前記着信が、通常の着信であるか、前記被呼側の話し中終了を示す着信であるかの着信種別を判断する判別処理部と、通信するためにダイアル信号を生成するダイアル信号発生部とを有し、前記制御部は、前記判別処理部が、前記着信が前記被呼側の話し中終了の着信であることを判別した場合、前記被呼側との間で通信するために前記ダイアル信号発生部を制御することを特徴とする。
【手続補正３】
【補正対象書類名】明細書
【補正対象項目名】０００５
【補正方法】変更
【補正の内容】
【０００５】
請求項２に記載の発明では、被呼側にダイアル発信した際に、該被呼側が話し中であることを判別する第１の判別処理部と、前記第１の判別処理部が、前記被呼側が話し中であることを判別した場合、回線を切断させるとともに、該切断の後の着信を制御する制御部と、前記着信が、通常の着信であるか、前記被呼側の話し中終了を示す着信であるかの着信種別を判断する第２の判別処理部と、通信するためにダイアル信号を生成するダイアル信号発生部とを有し、前記制御部は、前記判別処理部が、前記着信が前記被呼側の話し中終了の着信であることを判別した場合、前記被呼側との間で通信するために前記ダイアル信号発生部を制御することを特徴とする。
【手続補正４】
【補正対象書類名】明細書
【補正対象項目名】０００６
【補正方法】変更
【補正の内容】
【０００６】
請求項１１に記載の発明では、発呼側の通信制御装置と回線交換機とを有する通信制御システムであって、前記通信制御装置は、被呼側にダイアル発信した際に、該被呼側が話し中の場合は、一旦回線を切断させるとともに、該切断の後に前記交換機からの着信を制御する制御部と、前記着信が、通常の着信であるか、前記被呼側の話し中終了を示す着信であるかの着信種別を判断する判別処理部と、通信するためにダイアル信号を生成するダイアル信号発生部とを有し、前記制御部は、前記判別処理部が、前記着信が前記被呼側の話し中終了の着信であることを判別した場合、前記被呼側との間で通信するために前記ダイアル信号発生部を制御することを特徴とする。
【手続補正５】
【補正対象書類名】明細書
【補正対象項目名】０００７
【補正方法】変更
【補正の内容】
【０００７】
請求項１２に記載の発明では、発呼側の通信制御装置と回線交換機とを有する通信制御システムであって、前記通信制御装置は、被呼側にダイアル発信した際に、該被呼側が話し中であることを判別する第１の判別処理部と、前記第１の判別処理部が、前記被呼側が話し中であることを判別した場合、回線を切断させるとともに、該切断の後に前記交換機からの着信を制御する制御部と、前記着信が、通常の着信であるか、前記被呼側の話し中終了を示す着信であるかの着信種別を判断する第２の判別処理部と、通信するためにダイアル信号を生成するダイアル信号発生部とを有し、前記制御部は、前記判別処理部が、前記着信が前記被呼側の話し中終了の着信であることを判別した場合、前記被呼側との間で通信するために前記ダイアル信号発生部を制御することを特徴とする。
【手続補正６】
【補正対象書類名】明細書
【補正対象項目名】０００８
【補正方法】変更
【補正の内容】
【０００８】
請求項２２に記載の発明では、被呼側にダイアル発信するためダイアル信号を生成する第１のダイアル信号生成ステップと、前記被呼側が話し中の場合は、一旦回線を切断させる第１の回線切断ステップと、前記切断の後の着信を制御するステップと、前記着信が、通常の着信であるか、前記被呼側の話し中終了を示す着信であるかの着信種別を判別するステップと、前記着信が前記被呼側の話し中終了の着信であることを判別した場合、前記被呼側との間で通信するためにダイアル信号を生成させる第２のダイアル信号生成ステップとを有することを特徴とする。
【手続補正７】
【補正対象書類名】明細書
【補正対象項目名】０００９
【補正方法】変更
【補正の内容】
【０００９】
請求項２３に記載の発明では、被呼側にダイアル発信するためダイアル信号を生成する第１のダイアル信号生成ステップと、前記被呼側が話し中であることを判別する第１の判別ステップと、前記被呼側が話し中であることを判別した場合、回線を切断させる第１の回線切断ステップ、前記切断の後の着信を制御するステップと、前記着信が、通常の着信であるか、前記被呼側の話し中終了を示す着信であるかの着信種別を判断する第２の判別ステップと、前記着信が前記被呼側の話し中終了の着信であることを判別した場合、前記被呼側との間で通信するためにダイアル信号を生成させる第２のダイアル信号生成ステップとを有することを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】